【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
第１壁及び第２壁がそれぞれ光エネルギーを反射する材料を含み、該第１壁及び該第２壁により規定される開口部を有し、該開口部が該装置の内部に光エネルギーを入れるように操作可能な、少なくとも第１壁及び第２壁を含む集光器；
該２つの壁の間で該装置の内部に配置されている細長い光起電力モジュール；
を含む、光エネルギーを電気エネルギーに変換するための装置であって：
該細長い光起電力モジュールが：
(i)基材；及び
(ii)該基材上に配置され、かつ光エネルギーを電気エネルギーに変換するように操作可能な光起電力被覆；
を含み；
該細長い光起電力モジュールが、該集光器に接触せずに該細長い光起電力モジュールに直接当たる光エネルギー並びに該集光器から該細長い光起電力モジュールに向け直された光エネルギーから電気エネルギーを生み出すように操作可能であり；
該第１壁の少なくとも一部が、該細長い光起電力モジュールの断面に対して時計回り方向に向いている、該細長い光起電力モジュールの表面のインボリュートの形状を実質的に有し；
該第２壁の少なくとも一部が、該細長い光起電力モジュールの断面に対して反時計回り方向に向いている、該細長い光起電力モジュールの表面のインボリュートの形状を実質的に有し；
該第１壁が終わる高さが、(i)該細長い光起電力モジュールの最大高さの半分と(ii)該細長い光起電力モジュールの最大高さとの間であり；かつ
該第２壁が終わる高さが、(i)該細長い光起電力モジュールの最大高さの半分と(ii)該細長い光起電力モジュールの最大高さとの間である、前記装置。
【請求項２】
前記第１壁及び前記第２壁が連結部材により共に連結し、前記細長い光起電力モジュールが該連結部材上又はその上方に配置される、請求項１記載の装置。
【請求項３】
前記第１壁及び前記第２壁が互いに接触しない、請求項１又は２に記載の装置。
【請求項４】
前記集光器が、少なくとも部分的に鏡面様材料から形成されている、請求項１から３のいずれか１項記載の装置。
【請求項５】
前記集光器が、少なくとも部分的に拡散材料から形成されている、請求項１から３のいずれか１項記載の装置。
【請求項６】
前記集光器が、1/2インチ以下の厚さの材料のシートとして形成されている、請求項１から５のいずれか１項記載の装置。
【請求項７】
前記集光器が、1/2インチを超す厚さを有して形成されている、請求項１から５のいずれか１項記載の装置。
【請求項８】
前記集光器が、基材上に配置された反射性材料で形成されている、請求項１から７のいずれか１項記載の装置。
【請求項９】
前記集光器が、研磨された反射性材料及び該反射性材料上に配置されたシーラント材料を含む、請求項１から８のいずれか１項記載の装置。
【請求項１０】
前記細長い光起電力モジュールが、
前記第１壁に向いて配置されている第１側面；
前記開口部に向かう第１方向に配置された、該モジュールの第１部分、
該第１方向と実質的に反対の方向に配置された、該モジュールの第２部分
を規定する長手方向軸；
により特徴づけられ、
該モジュールに直接当たる光が、該モジュールの該第１部分に当たる、請求項１から９のいずれか１項記載の装置。
【請求項１１】
前記モジュールに向け直された光が前記第１側面に当たる、請求項１０記載の装置。
【請求項１２】
前記モジュールに向け直された光が前記第２部分に当たる、請求項１０記載の装置。
【請求項１３】
光エネルギーを該装置の内部に入れる第１方向に開口部を有する、少なくとも２つの壁を含む集光器；
該装置の内部で該少なくとも２つの壁の間に配置された細長い光起電力モジュール；
を含む、光エネルギーを電気エネルギーに変換するための装置であって：
該細長い光起電力モジュールが：
(i)基材；及び
(ii)該基材上に配置され、かつ光エネルギーを電気エネルギーに変換するように操作可能な光起電力被覆；
を含み；
該少なくとも２つの壁のそれぞれの少なくとも一部分が、該細長い光起電力モジュールの表面の対応する部分のインボリュートの形状をそれぞれ有し；
該集光器の少なくとも２つの壁のうちの第１の壁が終わる高さが、(i)該細長い光起電力モジュールの最大高さの半分と(ii)該細長い光起電力モジュールの最大高さとの間であり；かつ
該集光器の少なくとも２つの壁のうちの第２の壁が終わる高さが、(i)該細長い光起電力モジュールの最大高さの半分と(ii)該細長い光起電力モジュールの最大高さとの間である、前記装置。
【請求項１４】
少なくとも２つの壁を含む集光器；
該少なくとも２つの壁の間に配置されている細長い光起電力モジュール；
を含む、光エネルギーを電気エネルギーに変換するための装置であって：
該細長い光起電力モジュールが：
(i)基材；及び
(ii)該基材上に配置され、かつ光エネルギーを電気エネルギーに変換するように操作可能な光起電力被覆；
を含み；
該少なくとも２つの壁のそれぞれの少なくとも一部分が、該細長い光起電力モジュールの対応する部分の面積の少なくとも90％にわたり該細長い光起電力モジュールの表面の対応する部分のインボリュートの形状をそれぞれ有し；かつ
該少なくとも２つの壁が、該細長い光起電力モジュールの最上部の高さに限定されている、前記装置。
【請求項１５】
光エネルギーを該装置の内部に入れる第１方向に開口部を有する、少なくとも２つの壁を含む集光器；
該少なくとも２つの壁の間に配置された細長い光起電力モジュール；
を含む、光エネルギーを電気エネルギーに変換するための装置であって：
該細長い光起電力モジュールが：
(i)基材；及び
(ii)該基材上に配置され、かつ光エネルギーを電気エネルギーに変換するように操作可能な光起電力被覆
を含み；
該少なくとも２つの壁が、該細長い光起電力モジュールの最上部の高さに限定され；
該少なくとも２つの壁のそれぞれの少なくとも一部分が、該細長い光起電力モジュールの実質的にインボリュートの形状をそれぞれ有し；かつ
該装置の有効収集面積と該細長い光起電力モジュールの有効収集面積との比がπ/2からπである、前記装置。
【請求項１６】
光エネルギーを該装置の内部に入れる第１方向に開口部を有する、少なくとも２つの壁を含む集光器；
該少なくとも２つの壁の間で該装置の内部に配置された細長い光起電力モジュール；
を含む、光エネルギーを電気エネルギーに変換するための装置であって：
該細長い光起電力モジュールが、
(i)基材；及び
(ii)該基材上に配置され、かつ光エネルギーを電気エネルギーに変換するように操作可能な光起電力被覆；
を含み；
該細長い光起電力モジュールの断面が、円形の形状であり；
該少なくとも２つの壁のそれぞれの少なくとも一部分が、細長い光起電力モジュールの表面の対応する部分のインボリュートの形状をそれぞれ有し；かつ
該少なくとも２つの壁が、該細長い光起電力モジュールの最上部の高さに限定されている、前記装置。
【請求項１７】
該第１壁及び該第２壁により規定される開口部を有し、かつ光エネルギーを該装置の内部に入れるように操作可能な、反射性材料でできた少なくとも第１壁及び第２壁を含む集光器；
該２つの壁の間で該装置の内部に配置された細長い光起電力モジュール；
を含む、光エネルギーを電気エネルギーに変換するための装置であって：
該細長い光起電力モジュールが：
(i)基材；及び
(ii)該基材上に配置され、かつ光エネルギーを電気エネルギーに変換するように操作可能な光起電力被覆；
を含み；
該細長い光起電力モジュールが多面体光収集特性を有し；該細長い光起電力モジュールが、最初に該集光器に当たることなく、第１領域において直接モジュールに当たる光エネルギーから電気エネルギーを生み出すように操作可能であり、それと同時に、該第１壁及び第２壁の片方から第２領域に向け直される光から電力を生み出すように操作可能であり；
該第２領域が、該第１領域に実質的に垂直な方向に向いており；
該第１壁の少なくとも一部分が、該細長い光起電力モジュールの断面に対して時計回り方向に向いている、該細長い光起電力モジュールの表面のインボリュートの形状を実質的に有し；
該第２壁の少なくとも一部分が、該細長い光起電力モジュールの断面に対して反時計回り方向に向いている、該細長い光起電力モジュールのインボリュートの形状を実質的に有し；かつ
該第１壁及び該第２壁が、該細長い光起電力モジュールの最上部の高さに限定されている、前記装置。
【請求項１８】
前記細長い光起電力モジュールが、前記第１壁及び前記第２壁の連結部上又はその上方に配置されている、請求項１７記載の装置。
【請求項１９】
該第１壁及び該第２壁により規定される開口部を有し、かつ光エネルギーを該装置の内部に入れるように操作可能な、反射性材料でできた少なくとも第１壁及び第２壁を含む集光器；
第１壁及び該第２壁の間で該装置の内部に配置された細長い光起電力モジュール；
を含む、光エネルギーを電気エネルギーに変換するための装置であって：
該細長い光起電力モジュールが：
(i)基材；及び
(ii)該基材上に配置され、かつ光エネルギーを電気エネルギーに変換するように操作可能な光起電力被覆を含み；
該細長い光起電力モジュールが多面体光収集特性を有し；該細長い光起電力モジュールが、第１領域において直接該細長い光起電力モジュールに当たる光エネルギーから電気エネルギーを生み出すように操作可能であり、それと同時に、該第１壁及び該第２壁の片方から該細長い光起電力モジュールの表面上の第２領域に向け直される光から電力を生み出すように操作可能であり；該第１領域が、該細長い光起電力モジュールの表面上の該第２領域に実質的に垂直な方向に向いており；
該第１壁の少なくとも一部分が、該細長い光起電力モジュールの断面に対して時計回り方向に向いている、該細長い光起電力モジュールのインボリュートの形状を実質的に有し；
該第２壁の少なくとも一部分が、該細長い光起電力モジュールの断面に対して反時計回り方向に向いている、該細長い光起電力モジュールのインボリュートの形状を実質的に有し；かつ
該第１壁及び該第２壁が、該細長い光起電力モジュールの最上部の高さに限定されている、前記装置。
【請求項２０】
前記細長い光起電力モジュールが、前記第１壁及び前記第２壁の連結部上又はその上方に配置されている、請求項１９記載の装置。
【請求項２１】
該第１壁及び該第２壁により規定される開口部を有し、光エネルギーを該装置の内部に入れるように操作可能な、反射性材料でできた少なくとも第１壁及び第２壁を含む集光器；
細長い光起電力モジュール；
を含む、光エネルギーを電気エネルギーに変換するための装置であって：
該細長い光起電力モジュールが、該細長い光起電力モジュールの第１部分及び第２部分を線引きする長手方向の面により特徴づけられ、該細長い光起電力モジュールが該２つの壁の間に配置されており、かつ
(i)基材；及び
(ii)該基材上に配置され、かつ光エネルギーを電気エネルギーに変換するように操作可能な光起電力被覆；
を含み；
該第１部分が第１方向に配置されており；
該第２部分が第２方向に配置されており；
該細長い光起電力モジュールが、該集光器に当たることなく直接該モジュールに当たる光エネルギー並びに該集光器からモジュールに向け直される光エネルギーから電気エネルギーを生み出すように操作可能であり；
該第１壁の少なくとも一部分が、該細長い光起電力モジュールの断面に対して時計回り方向に向いている、該細長い光起電力モジュールのインボリュートの形状を実質的に有し；
該第２壁の少なくとも一部分が、該細長い光起電力モジュールの断面に対して反時計回り方向に向いている、該細長い光起電力モジュールのインボリュートの形状を実質的に有し；かつ
該第１壁及び該第２壁が、該細長い光起電力モジュールの最上部の高さに限定されている、前記装置。
【請求項２２】
前記細長い光起電力モジュールが、前記第１壁及び前記第２壁の連結部上又はその上方に配置されている、請求項２１記載の装置。
【請求項２３】
前記基材が、20GPa以上のヤング率を有する、請求項１から１２のいずれか１項記載の装置。
【請求項２４】
前記基材が、40GPa以上のヤング率を有する、請求項１から１２のいずれか１項記載の装置。
【請求項２５】
前記基材が、70GPa以上のヤング率を有する、請求項１から１２のいずれか１項記載の装置。
【請求項２６】
前記基材が、線形材料からできている、請求項１から１２又は請求項２２から２５のいずれか１項記載の装置。
【請求項２７】
前記基材の全て又は一部分が、剛性の管又は剛性の固体の棒である、請求項１から１２のいずれか１項記載の装置。
【請求項２８】
前記基材の全て又は一部分が、円形断面、卵形断面、三角形断面、五角形断面、六角形断面、少なくとも１つの弓形部分を有する断面、又は少なくとも１つの曲線状部分を有する断面により特徴づけられる、請求項１から１２又は請求項２３から２７のいずれか１項記載の装置。
【請求項２９】
前記基材の第１部分が、第１断面形状により特徴づけられ、前記基材の第２部分が、第２断面形状により特徴づけられる、請求項１から１２又は請求項２３から２８のいずれか１項記載の装置。
【請求項３０】
前記第１断面形状及び前記第２断面形状が同じである、請求項２９記載の装置。
【請求項３１】
前記第１断面形状及び前記第２断面形状が異なる、請求項２９記載の装置。
【請求項３２】
前記基材の長さの少なくとも90％が、第１断面形状により特徴づけられる、請求項２９記載の装置。
【請求項３３】
前記第１断面形状が平面であり、前記第２断面形状が少なくとも１つの弓形面を有する、請求項２９記載の装置。